(57)【特許請求の範囲】
【請求項１】
電力源から電力を受けるように構成された入力端と、
出力電力を複数の負荷に供給するように構成された複数の出力端と、
前記入力端及び前記複数の出力端に結合された複数のスイッチと、
電力状態のメッセージをネットワークから受信するように構成されたネットワークインタフェースと、
前記スイッチ及び前記ネットワークインタフェースに結合され、前記電力状態のメッセージに応答して前記スイッチを制御して、前記入力端を選択的に前記出力端に結合させるか、又は前記出力端から分離させるか、又はこれらの結合及び分離の双方を達成させるように構成されたコントローラと、
前記入力端に結合され、
（１）前記コントローラが前記入力端を前記出力端の少なくとも１つから分離させている期間中に、前記入力端により、前記入力端に結合された前記出力端に与えられるエネルギーと、
（２）前記期間に対する基準のエネルギー消費量の見積もりと
の差に基づいて削減するエネルギー消費量を決定するように構成されたエネルギー消費モジュールと
を具える電力削減システムであって、
前記ネットワークインタフェースが前記エネルギー消費モジュールに結合されており、前記ネットワークインタフェースが更に、前記削減するエネルギー消費量を前記ネットワークに接続された遠隔装置に向けて送信するように構成されているようにした
電力削減システム。
【請求項２】
請求項１に記載の電力削減システムにおいて、前記エネルギー消費モジュールは更に、前記コントローラにより前記出力端の何れも前記入力端から分離されていない期間中に前記入力端により与えられるエネルギーに基づいて基準のエネルギー消費量の見積もりを決定し、前記基準のエネルギー消費量の見積もりをメモリに記憶させるように構成されている電力削減システム。
【請求項３】
請求項２に記載の電力削減システムにおいて、前記エネルギー消費モジュールは更に、前記記憶された基準のエネルギー消費量の見積もりに基づいて複数の期間に対する平均の基準消費量の見積もりを決定するように構成されており、平均の基準消費量の見積もりのこれらの期間には、時間、日、週及び年の少なくとも１つを有しているようにする電力削減システム。
【請求項４】
請求項１に記載の電力削減システムにおいて、前記受信された電力状態のメッセージには、前に受信した電力状態のメッセージにより導入された措置を取り消すことを指示する情報が含まれるようにする電力削減システム。
【請求項５】
請求項１に記載の電力削減システムにおいて、前記電力状態のメッセージが、前記入力端から分離させる装置の種類に関する命令と、前記入力端から分離させる特定の出力端に関する命令と、導入するエネルギー削減量に関する命令と、導入されるエネルギー削減レベルに対し受ける補償レベルに関する命令との少なくとも１つに関する情報を有している電力削減システム。
【請求項６】
請求項１に記載の電力削減システムにおいて、前記電力削減システムが更に、バックアップ電力源を有しており、前記コントローラが更に、前記バックアップ電力源を少なくとも１つの前記出力端に結合させるように構成されている電力削減システム。
【請求項７】
請求項６に記載の電力削減システムにおいて、前記バックアップ電力源が無停電電源を有している電力削減システム。
【請求項８】
電力源から電力を受けるように構成された入力端と、
出力電力を複数の負荷に供給するように構成された複数の出力端と、
前記入力端及び前記複数の出力端に結合された複数のスイッチと、
電力状態のメッセージをネットワークから受信するように構成されたネットワークインタフェースと、
前記スイッチ及び前記ネットワークインタフェースに結合され、前記電力状態のメッセージに応答して前記スイッチを制御して、前記入力端を選択的に前記出力端に結合させるか、又は前記出力端から分離させるか、又はこれらの結合及び分離の双方を達成させるように構成されたコントローラと、
前記入力端に結合され、
（１）前記コントローラが前記入力端を前記出力端の少なくとも１つから分離させている期間中に、前記入力端により、前記入力端に結合された前記複数の出力端に与えられるエネルギーと、
（２）前記コントローラが前記入力端を前記複数の出力端に結合させている期間に対する複数の基準のエネルギー消費量の見積もりと
の差に基づいて削減するエネルギー消費量を決定するように構成されたエネルギー消費モジュールと、
を具える電力削減システムであって、
前記エネルギー消費モジュールは更に、複数の出力端の各々に与えられるエネルギーに基づいて複数の基準のエネルギー消費量の見積もりを決定するように構成され、
前記ネットワークインタフェースが前記エネルギー消費モジュールに結合されており、前記ネットワークインタフェースが更に、前記削減するエネルギー消費量を前記ネットワークに接続された遠隔装置に向けて送信するように構成されているようにした
電力削減システム。
【請求項９】
電力を電力源から受ける過程と、
前記電力源から受けた電力を、複数の負荷に結合された複数の出力端に供給する過程と、
電力状態のメッセージをネットワークから受信する過程と、
前記電力源及び前記出力端に結合されたスイッチを、前記電力状態のメッセージを受信するのに応答して選択的に前記電力源を前記出力端に結合するか、又は前記出力端から分離させるか、或いはこれらの結合及び分離の双方を行うように制御する過程と、
（１）前記電力源が前記電力状態のメッセージに応答して少なくとも１つの前記出力端から選択的に分離されている期間中に前記電力源により前記複数の出力端に与えられるエネルギーと、
（２）前記期間に対する基準のエネルギー消費量の見積もりと
の差に基づいて削減するエネルギー消費量を決定する過程と、
前記削減するエネルギー消費量を、前記ネットワークに接続された遠隔装置に向けて送信する過程と
を具える電力削減方法。
【請求項１０】
請求項９に記載の電力削減方法において、前記電力削減方法が更に、
何れの前記出力端も前記電力状態のメッセージに応答して前記電力源から分離されるように制御されない期間中に前記負荷により消費されるエネルギーに基づいて基準のエネルギー消費量の見積もりを決定する過程と、
前記基準のエネルギー消費量の見積もりをメモリに記憶させる過程と
を有するようにする電力削減方法。
【請求項１１】
請求項９に記載の電力削減方法において、前記電力削減方法が更に、少なくとも１つの前記出力端をバックアップ電力源に結合するように少なくとも１つの前記スイッチを制御する過程を具えている電力削減方法。
【請求項１２】
請求項１１に記載の電力削減方法において、前記バックアップ電力源が無停電電源を有するようにする電力削減方法。
【請求項１３】
入力端を介して電力を電力源から受ける過程と、
前記電力源から受けた電力を、複数の負荷に結合された複数の出力端に供給する過程と、
電力状態のメッセージをネットワークから受信する過程と、
前記電力源及び前記出力端に結合されたスイッチを、前記電力状態のメッセージを受信するのに応答して選択的に前記電力源を前記出力端に結合するか、又は前記出力端から分離させるか、或いはこれらの結合及び分離の双方を行うように制御する過程と、
（１）前記電力源が少なくとも１つの前記出力端から選択的に分離されている期間中に、前記入力端により、前記入力端に結合された前記複数の出力端に与えられるエネルギーと、
（２）前記入力端が前記複数の出力端に結合されている期間に対する複数の基準のエネルギー消費量の見積もりと
の差に基づいて削減するエネルギー消費量を決定する過程と
を有する電力削減方法であって、
前記電力削減方法は更に、前記複数の出力端の各々に与えられるエネルギーに基づいて前記複数の基準のエネルギー消費量の見積もりを決定する過程と、
前記削減するエネルギー消費量を、前記ネットワークに接続された遠隔装置に向けて送信する過程と
を有するようにする電力削減方法。
【請求項１４】
命令の配列が記憶されたコンピュータ可読記録媒体であって、前記命令の配列には、プロセッサが、
電力状態のメッセージをネットワークから受信するようにし、
入力電力源及び複数の出力端に結合されたスイッチであって、これら出力端は複数の負荷に結合されているこれらスイッチを、前記電力状態のメッセージの受信に応答して前記入力電力源が選択的に前記出力端に結合されるか、又は前記出力端から分離されるか、或いはこれらの結合及び分離の双方が達成されるように制御し、
（１）前記入力電力源が少なくとも１つの前記出力端から選択的に分離されている期間中に、前記入力電力源により、前記入力電力源に結合された前記出力端に与えられるエネルギーと、
（２）前記期間に対する基準のエネルギー消費量の見積もりと
の差に基づいて削減するエネルギー消費量、
（１）前記入力電力源が前記電力状態のメッセージに応答して少なくとも１つの前記出力端から選択的に分離されている前記期間中に、前記入力電力源により、前記入力電力源に結合された前記出力端に与えられるエネルギーと、
（２）前記期間に対する前記基準のエネルギー消費量の見積もりと
の差に基づいて削減するエネルギー消費量、又は
（１）前記入力電力源が少なくとも１つの前記出力端から選択的に分離されている前記期間中に、前記入力電力源により、前記入力電力源に結合された前記複数の出力端に与えられるエネルギーと、
（２）前記入力電力源が前記複数の出力端に結合されている期間に対する複数の基準のエネルギー消費量の見積もりと
の差に基づいて削減するエネルギー消費量、の１つ以上を決定し、
送信機が前記決定された１つ以上の削減するエネルギー消費量を、前記ネットワークに接続された遠隔装置に向けて送信させるようにする
命令が含まれているコンピュータ可読記録媒体。
【発明の詳細な説明】
【技術分野】
【０００１】
[関連出願の相互参照]
本出願は、２００８年１２月４日に出願された“ENERGY REDUCTION”と題する米国特許出願第12/328,714号の優先権を主張するものである。この米国特許出願は全体的にあらゆる意味で参考のために導入するものである。
【０００２】
本出願は更に、２００８年１２月４日に出願された“ENERGY SAVINGS AGGREGATION ”と題する米国特許出願第12/328,703号の優先権を主張するものである。この米国特許出願も全体的にあらゆる意味で参考のために導入するものである。
【背景技術】
【０００３】
送電網において、需要反応とは、顧客からの要望を電力供給状態に応答して管理すること、例えば、電力顧客が自身の電力消費量を重要な時間帯に又は市場価格に応じて削減させるようにすることを意味するものである。需要反応では、顧客は負荷をユーティリティ（企業）価格又は市場価格状態に応じて削減することができ、これを負荷制限（電力平均分配）と称する。負荷制限に代わるものは、送電網を提供するためのオンサイト発電である。電力供給が厳しい状態の下では、需要反応により、システムの信頼性を著しく改善するとともに最高価格を低減させ、一般に電力価格の変動を低減させることができる。電気システムは一般に、ピーク需要（且つ誤差及び不測の事象に対する余裕度）に応じた大きさになっている為、ピーク需要を低減させることにより、施設全体及び資本のコスト条件を低減させる。需要反応は、発電施設の形態に応じて、高生産及び低需要時に需要（負荷）を高めるのに用いることもできる。システム中の、風力電源のような断続的な電源の割合が高まるにつれ、送電網を有効に管理するのに需要反応が益々重要となってきている。
【０００４】
需要反応は一般に、需要者に需要を低減させて電力のピーク需要を低減させることを促すのに用いられる。エネルギー需要者は通常、需要反応提供者からの要求に応答するためのある種のインセンティブを必要とする。例えば、ユーティリティによれば、電力価格の短期間の上昇を伝えることにより料金表（タリフ）に基づくインセンティブを生ぜしめることができる。ユーティリティによれば、参加が補償されているとともに選択された多量のエネルギーのユーザに猛暑中に強制的な削減を課することができる。これらの多量のエネルギーのユーザは、高需要期間中に電力を削減させる確約に基づく割引又はその他のインセンティブを受けることができる。
【発明の概要】
【０００５】
開示する代表的な電力削減システムには、電力源から電力を受けるように構成された入力端と、出力電力を負荷に供給するように構成された出力端と、前記入力端及び前記出力端に結合されたスイッチと、電力状態のメッセージをネットワークから受信するように構成されたネットワークインタフェースと、前記スイッチ及び前記ネットワークインタフェースに結合され、前記電力状態のメッセージに応答して前記スイッチを制御して、前記入力端を選択的に前記出力端に結合させるか、又は前記出力端から分離させるか、又はこれらの結合及び分離の双方を達成させるように構成されたコントローラと、前記入力端に結合され、この入力端により、この入力端に結合された出力端に与えられるエネルギーのエネルギー消費量を決定するように構成されたエネルギー消費モジュールとを具える電力削減システムであって、前記ネットワークインタフェースが前記エネルギー消費モジュールに結合されており、このネットワークインタフェースが更に、エネルギー消費量を前記ネットワークに接続された遠隔装置に向けて送信するように構成されているようにした電力削減システムが含まれる。
【０００６】
このような電力削減システムの例には、以下の１つ以上の特徴事項を含めることができる。前記エネルギー消費量を、
（１）前記コントローラが前記入力端を前記出力端の少なくとも１つから分離させている期間中に前記入力端により与えられるエネルギーと、
（２）この期間に対する基準のエネルギー消費量の見積もりと
に基づいて削減するエネルギー消費量とする。前記エネルギー消費モジュールは、前記コントローラにより前記出力端の何れも前記入力端から分離されていない期間中に前記入力端により与えられるエネルギーに基づいて基準のエネルギー消費量の見積もりを決定し、この基準のエネルギー消費量の見積もりをメモリに記憶させるように構成する。このエネルギー消費モジュールは、記憶された基準のエネルギー消費量の見積もりに基づいて複数の期間に対する平均の基準消費量の見積もりを決定するように構成されており、平均の基準消費量の見積もりのこれらの期間には、時間、日、週、月及び年の少なくとも１つを有しているようにする。受信された電力状態のメッセージには、前に受信した電力状態のメッセージにより導入された措置を取り消すことを指示する情報が含まれるようにしうる。前記電力状態のメッセージは、前記入力端から分離させる装置の種類に関する命令と、前記入力端から分離させる特定の出力端に関する命令と、導入するエネルギー削減量に関する命令と、導入されるエネルギー削減レベルに対し受ける補償レベルに関する命令との少なくとも１つに関する情報を有するようにしうる。電力削減システムは、バックアップ電力源を有するようにでき、前記コントローラは更に、このバックアップ電力源を少なくとも１つの出力端に結合させるように構成する。このバックアップ電力源は無停電電源を有するようにしうる。前記エネルギー消費量は、
（１）前記コントローラが前記入力端を前記出力端の少なくとも１つから分離させている期間中に出力端に与えられるエネルギーと、
（２）この期間に対する基準のエネルギー消費量の見積もりと
に基づいて削減するエネルギー消費量とし、
前記エネルギー消費モジュールは更に、出力端の各々に与えられるエネルギーに基づいて基準のエネルギー消費量の見積もりを決定するように構成する。前記エネルギー消費量は、何れかの電力状態のメッセージに応答してコントローラにより何れの出力端も入力端から分離されていない間に、入力端により得られるエネルギーに基づく第１のエネルギー消費量と、電力状態のメッセージに応答してコントローラにより少なくとも１つの出力端が入力端から分離されている間に、入力端により得られるエネルギーに基づく第２のエネルギー消費量とを有するようにする。
【０００７】
代表的な電力削減方法は、電力を電力源から受ける過程と、電力源から受けた電力を、負荷に結合された出力端に供給する過程と、電力状態のメッセージをネットワークから受信する過程と、電力源及び出力端に結合されたスイッチを、電力状態のメッセージを受信するのに応答して選択的に電力源を出力端に結合するか、又は出力端から分離させるか、或いはこれらの結合及び分離の双方を行うように制御する過程と、入力端に結合された出力端に、この入力端により供給するエネルギーのエネルギー消費量を決定する過程と、このエネルギー消費量を、ネットワークに接続された遠隔装置に向けて送信する過程とを具えるようにする。
【０００８】
このようなエネルギー削減方法の例には、以下の１つ以上の特徴事項を含めることができる。エネルギー消費量は、
（１）電力源が電力状態のメッセージに応答して少なくとも１つの出力端から選択的に分離されている期間中に電力源により与えられるエネルギーと、
（２）この期間に対する基準のエネルギー消費量の見積もりと
に基づいて削減するエネルギー消費量とする。電力削減方法は、少なくとも１つの出力端をバックアップ電力源に結合するように少なくとも１つのスイッチを制御する過程を具えるようにする。このバックアップ電源は無停電電源を有するようにしうる。電力削減方法は、何れの出力端も電力状態のメッセージに応答して電力源から分離されるように制御されない期間中に負荷により消費されるエネルギーに基づいて基準のエネルギー消費量を決定する過程と、この基準のエネルギー消費量をメモリに記憶させる過程とを有するようにする。電力削減方法は、削減するエネルギー消費量を遠隔装置に向かうネットワークに送信する過程を有する。電力削減方法には、少なくとも１つの出力端をバックアップ電力源に結合するように少なくとも１つのスイッチを制御する過程を有しうる。バックアップ電力源は無停電電力源とする。エネルギー消費量は、
（１）電力源が少なくとも１つの出力端から選択的に分離されている期間中に出力端に与えられるエネルギーと、
（２）この期間に対する基準のエネルギー消費量の見積もりと
に基づいて削減するエネルギー消費量
にするとともに、電力削減方法は更に、出力端の各々に与えられるエネルギーに基づいて基準のエネルギー消費量の見積もりを決定する過程を有するようにする。エネルギー消費量は、何れかの電力状態のメッセージに応答してコントローラにより何れの出力端も入力端から分離されていない間に、入力端により得られるエネルギーに基づく第１のエネルギー消費量と、電力状態のメッセージに応答してコントローラにより少なくとも１つの出力端が入力端から分離されている間に、入力端により得られるエネルギーに基づく第２のエネルギー消費量とにする。
【０００９】
代表的な例には、命令の配列が記憶されたコンピュータ可読媒体であって、これらの命令には、プロセッサが、
電力状態のメッセージをネットワークから受信するようにし、
電力源及び出力端に結合されたスイッチであって、これら出力端は負荷に結合されているこれらスイッチを、電力状態のメッセージの受信に応答して前記電力源が選択的に前記出力端に結合されるか、又は前記出力端から分離されるか、或いはこれらの結合及び分離の双方が達成されるように制御し、
入力端により、この入力端に結合された出力端に与えられるエネルギーのエネルギー消費量を決定し、
送信機がこのエネルギー消費量を、ネットワークに接続された遠隔装置に向けて送信させるようにする
命令が含まれているコンピュータ可読媒体を含める。
【００１０】
ここに開示した本発明の例によれば、以下の１つ以上の可能性を得ることができる。多数の小売の電気エネルギーのユーザ（個人の自宅から複数家族の住宅又は小規模のオフィスビルディングまで）は、電力不足に際し節約電力をユーティリティに売戻しするのに参加することができる。エネルギー消費量は、自発的に又は自動的に或いはその双方で殆ど不都合なく削減させることができる。小規模の個人のユーザによるエネルギーの節約量を測定し、統合（アグリゲート）させ、確認し、制御し、これに報酬を与えることができる。送電網のピークの電力需要は、例えば、電圧低下、停電等のような電力故障を回避することにより、低減させることができる。本発明の更なる適用範囲は以下の図面に関する説明から明らかとなるであろう。
【図面の簡単な説明】
【００１１】
【図１】図１は、送電網に接続された顧客に供給されるピーク電力を削減する電力削減統合（アグリゲーション）システムの一実施例を示す線図である。
【図２】図２は、図１の送電網に接続された負荷に供給される電力を選択的に制御する電力削減システムの一実施例を示すブロック線図である。
【図３】図３は、図２に示す電力削減システムの具体例を示す線図である。
【図４】図４は、図１に示すピーク電力削減用電力削減統合システムのセントラルサーバの一実施例を示すブロック線図である。
【図５】図５は、図２の電力削減システムにより実行される処理の一実施例を示す流れ図である。
【図６】図６は、図４のセントラルサーバにより実行される処理の一実施例を示す流れ図である。
【図７】図７は、図２の電力削減システムにより実行される処理の他の一実施例を示す流れ図である。
【図８】図８は、図４のセントラルサーバにより実行される処理の他の一実施例を示す流れ図である。
【発明を実施するための形態】
【００１２】
添付図面においては、同様な構成要素又は同様な特徴部分に、或いはその双方に同じ参照符号を付している場合がある。更に、同じ種類の種々の構成要素は、第１の参照符号にハイフンと、同様な構成要素間を識別する第２の参照符号とを後続させて識別している場合がある。本明細書で第１の参照符号のみを用いている場合には、その説明は、第２の参照符号にかかわらず同じ第１の参照符号を有する同様な構成要素の何れか１つに適用しうるものである。
【００１３】
ここで述べることは特に、ピーク電力需要を管理するために、送電網に接続された顧客に供給される電力を制御する方法及び装置の双方又は何れか一方で具体化される技術を開示するものである。例えば、セントラルサーバは、僅かな電気エネルギーの多数のユーザのエネルギー節約量を統合し、電力ユーティリティのピーク電力削減の必要性を満足させるとともに、節約されたエネルギーの量に比例して、僅かな電気エネルギーのユーザに対しインセンティブ及び報酬を与えるために設けるものである。セントラルサーバは、送電網に接続された顧客に通信ネットワークを介して、電力状態のメッセージを送信し、送電網における需要を削減するようにする。電力状態のメッセージには、電力削減システムに接続された負荷に送電網により供給される電力を選択的に制御することを、顧客と関連する電力削減システムに指図する命令が含まれる。
【００１４】
電力状態のメッセージは、送電網に接続されたプログラミング可能な電力削減装置に送信されて、種々の顧客負荷に供給される電力を選択的に制御するようにする。電力削減が要求されたことを表す電力状態メッセージを電力削減装置が受けると、この電力削減装置は、どの負荷から電力を削減するかを決定する。プログラミング可能な電力削減装置は、種々の特性に基づいて種々の負荷に対し電力を削減するようにプログラミングされるようにしうる。この電力削減装置は、エネルギー削減量又は消費したエネルギー量を表す情報を、統合の目的でセントラルサーバに戻すように通信する。更に、電力削減装置は、負荷を無停電電源のようなバックアップ電源に結合することもできる。例えば、セントラルサーバ及び電力削減装置の双方の他の実施例は本発明（明細書及び特許請求の範囲）の範囲内のものである。
【００１５】
図１は、送電網１６に接続された顧客に供給されるピーク電力を削減する電力削減使用システム１０の一実施例を示す線図である。このシステム１０は、セントラルサーバ１２と、複数の電力削減システム２０‐１〜２０‐ｎとを有する電力削減統合システムを具えている。複数の顧客の自宅又は小企業１８‐１〜１８‐ｎ或いはその双方の各々は、個別の電力削減システム２０‐１〜２０‐ｎをそれぞれ有している。システム１０は更に、電力を送電網１６に提供する電力ユーティリティ１４を具えている。顧客の自宅１８は送電網１６に結合されている。電力削減システム２０は、送電網１６と、これらの各電力削減システム２０が関連している顧客の自宅１８の負荷とに結合されている。
【００１６】
電力削減システム２０は、ネットワーク１３を介してセントラルサーバ１２に通信接続されている。ネットワーク１３には、１つ以上の有線又は無線ネットワークを含めることができる。有線ネットワークには、電話回線（例えば、プレーンオールドテレフォンシステム、すなわちＰＯＴＳ）や、ケーブルネットワークや、ＬＡＮ、ＭＡＮ、ＷＡＮのようなコンピュータネットワークや、電力線通信等を含めることができる。無線通信には、携帯電話ネットワークや、WiFiネットワークや、衛星ネットワーク等を含めることができる。ネットワーク１３は、電力削減システム２０と、セントラルサーバ１２との間の双方向通信を提供する。セントラルサーバ１２は、電力状態のメッセージを電力削減システム２０に送信するとともに、エネルギー削減及びエネルギー消費の双方又は何れか一方に関する情報を電力削減システム２０からネットワーク１３を介して受信する。
【００１７】
システム１０では、セントラルサーバ１２が、送電網１６に電力を供給する電力ユーティリティ１４に、この場合ネットワーク１３を介して通信接続されている。他の実施例では、セントラルサーバを電力ユーティリティに共同設置することができる。セントラルサーバ１２は、電力状態命令又は送電網１６の状態を表す情報或いはこれらの双方を電力ユーティリティ１４からネットワーク１３を介して受信することができる。
【００１８】
電力ユーティリティ１４は、セントラルサーバと連絡して（例えば、規定の又は所定の或いはその双方の量の）エネルギー削減を要求することができる。例えば、電力ユーティリティ１４は、例えばピーク電力の使用中に、停電させることなくしては又は高価な予備容量のオンラインを用いることなくしては電力需要にこたえることができないことの決定に応答して上述したようにすることができる。この場合、セントラルサーバ１２は、電力状態のメッセージを、参加している個々のユーザと関連する電力削減システム２０に伝達することにより、この個々のユーザのエネルギー使用を削減させるように作用し、統合のエネルギーの節約量を増大させる。この統合のエネルギー節約量は電力ユーティリティに通達され、報酬をセントラルサーバ１２のオペレータに与えるようにすることができる。オペレータは次に、この報酬の一部を、好ましくは節約された実際のエネルギーに比例する量で、参加している個々のユーザに分配する。送信される電力状態のメッセージとなりうる送電網の状態の変化には、送電網１６の容量に近い電力需要レベル又は送電網１６の容量に関連するしきい値レベルを含めることができる。他の場合には、送電網１６の容量の幾らかは、電力を他の送電網又は送電網１６の他の区分に流用する必要性の為に一時的に低下するおそれがある。
【００１９】
電力状態のメッセージはセントラルサーバ１２により用いられて、個々の電力削減システム２０がこれらに結合された種々の負荷に電力を供給する方法に影響を与えるようにする。セントラルサーバ１２は、電力状態のメッセージを個々の電力削減システム２０に又は全ての電力削減システム２０に送信しうる。セントラルサーバ１２は、個々のシステム２０と関連する電流使用レベルと過去の電流使用レベルとの双方又は何れか一方に基づいて電力状態のメッセージを受信する必要がある個々の電力削減システムを決定しうる。
【００２０】
電力状態のメッセージには、電力削減システム２０の動作を制御する種々の命令を含めることができる。例えば、電力状態のメッセージに、電力削減要求命令、前の電力削減を取り消す命令、電力消費量の削減パーセントの要求、絶対電力削減量の要求命令を含めることができる。電力状態メッセージには更に、補償レベルに関する情報、例えば、あるレベルの電力削減に対して提供される価格レート又は節約量を含めることができる。電力状態メッセージには更に、何を分離させるかに関する命令を含めることができる。これらの命令には、例えば、どの負荷又は少なくともどの種類の負荷（例えば、空調装置、暖房装置、テレビジョン、コンピュータ、ゲーム機、ステレオ再生装置等）を分離させるかに関する命令を含めることができる。電力状態メッセージによれば前の電力状態メッセージに言及して、この前の電力状態メッセージの命令に種々の方法で影響を及ぼすようにしうる。例えば、電力状態メッセージには、前の命令を取り消すか又は前の命令を変更する命令を含めることができる。電力状態メッセージに含める命令は任意のものにでき、これは、電力削減が望ましいかどうかを決定するのに電力コントローラ２７が如何に構成されているかに基づいてこの電力コントローラ２７に委ねることができる。これらの命令は強制的なものにすることもでき、電力削減システムは、命令に追随するか否かを選択する機能を有さないようにする。ある電力状態メッセージには、（現在及び過去の双方又は何れか一方の）エネルギー使用見積もり又はエネルギー削減見積もり（例えば、電力を削減するという命令に応答してエネルギーの使用が基準レベルよりも低い値に削減される量）を含めることができる。
【００２１】
図２を参照するに、エネルギー削減システム２０は、電力削減コントローラ２４と、主電気パネル２６とを有する。このエネルギー削減システム２０は、完全に又は部分的に顧客の自宅１８内に配置するか又は完全に顧客の自宅１８の外部に配置することができる。電力削減コントローラ２４はライン３０を経て主電気パネル２６に接続されている。このライン３０には、多重電気ラインを含めることができ、このライン３０を単一の機械的な管内に収容することができる。主電気パネル２６は１つ以上のライン３２を経て顧客の自宅１８内の適切なＡＣ負荷に接続されており、且つ適切なライン３３を経て送電網１６に接続されている。電力削減システム２０には、随意的なバックアップ電源２２が設けられている。この随意的なバックアップ電源２２は、無停電電源（ＵＰＳ）とするか、又は発電機とするか、又は例えば太陽光電力又は風力電力のようなその他のエネルギー源とすることができる。この随意的なバックアップ電源２２は、電力削減コントローラ２４のスイッチングモジュール３１に結合されている。このスイッチングモジュール３１はバックアップ電源２２をパネル２６に接続し、このバックアップ電源２２が電力をＡＣ負荷の１つ以上に供給しうるようにする。
【００２２】
電力削減コントローラ２４は、メモリ２３に結合された１つ以上のプロセッサ２１をも有する。このプロセッサ２１には、１つ以上のアプリケーション特有の集積回路（ＡＳＩＣ）と、デジタル信号プロセッサ（ＤＳＰ）と、デジタル信号処理装置（ＤＳＰＤ）と、プログラマブル論理装置（ＰＬＤ）と、フィールドプログラマブルゲートアレイ（ＦＰＧＡ）と、コントローラと、マイクロコントローラと、マイクロプロセッサと、電子装置と、その他の電子ユニットとの何れか又はこれらの任意の組み合わせとを含めることができる。
【００２３】
プロセッサ２１は、１つ以上のインタフェースが受信したデータを記憶するとともに、メモリ２３におけるデータを処理し記憶するように構成されている。メモリ２３は、プロセッサ２１内に、又はこのプロセッサ２１の外部に構成しうる。このメモリは、長期記憶メモリ、短期記憶メモリ、揮発性メモリ、不揮発性メモリ又はその他の種類のメモリとすることができ、如何なる特定の種類のメモリにも又は如何なる個数のデバイスにも限定されるものではない。
【００２４】
プロセッサ２１は、データ及び命令の双方又は何れか一方をネットワークインタフェース２５に伝達するとともにこのネットワークインタフェース２５から受け、データ／命令をコントローラモジュール２７に送り、エネルギー消費モジュール２９及びスイッチングモジュール３１からデータを受けるようにも構成されている。ネットワークインタフェース２５は、データをネットワーク１３に送信するとともにネットワーク１３から受信するように構成されている。
【００２５】
スイッチングモジュール３１は、以下に図３を参照して説明するようにスイッチを有している。これらのスイッチの出力端は、電気パネル２６に接続された負荷に結合されている。これらのスイッチは、出力端を入力電力源、例えば、送電網１６に、又は存在する場合にはバックアップ電源２２に選択的に結合するように構成されている。
【００２６】
コントローラモジュール２７はスイッチングモジュール３１に結合されている。このコントローラモジュール２７は、スイッチングモジュール３１内のスイッチを制御して選択的に電力を負荷に与えたり、負荷から除去したりするように構成されている。このコントローラモジュール２７によれば、電力状態のメッセージの受信に応答して、選択した負荷を送電網のライン３３から分離させることができる。このコントローラモジュール２７は、状態が変化した際に（例えば、前に受信した電力状態のメッセージを取り消すか又は変更する電力状態のメッセージの受信に応答して）前に分離された負荷を選択的に結合させて電力を受けるようにすることができる。コントローラモジュール２７により実行される他の機能の詳細を以下に図５及び７を参照して説明する。
【００２７】
エネルギー消費モジュール２９はスイッチングモジュール３１及びコントローラモジュール２７に結合されている。このエネルギー消費モジュール２９はスイッチングモジュール３１の１つ以上の入力端と負荷に結合された１つ以上の出力端との双方又は何れか一方に結合させることができる。エネルギー消費モジュール２９は、負荷により消費されたエネルギーの量を決定するように構成されている。このエネルギー消費モジュール２９は、例えば、スイッチの出力端に結合された際に、負荷の各々により別々に消費されたエネルギーの量を決定するのと、例えば、送電網からの入力端に結合された際に、入力電力源により与えられた総計のエネルギーを決定するのとの双方又は何れか一方を達成するようにしうる。どのスイッチを送電網に接続するか、及び随意ではあるがどのスイッチをバックアップ電源に接続するかに関するコントローラモジュール２７から得られる情報を用いて、エネルギー消費モジュール２９は、どの出力をエネルギー消費量の計算に含めるかを決定しうる。
【００２８】
エネルギー消費モジュール２９は、基準エネルギー量を決定しうるとともに、電力削減コントローラ２４がセントラルサーバ１２から電力状態のメッセージを受信するのに応答して、削減するエネルギー消費量を決定しうる。削減するエネルギー消費量は、
（１）コントローラモジュール２７が入力端を出力端の少なくとも１つから分離させている期間中に入力端により負荷に与えられるエネルギーと、
（２）前に決定された基準エネルギー消費量と
の間の差である。基準エネルギー消費量は期待されるエネルギー消費を表す指標である。この基準エネルギー消費量は、負荷が電力削減コントローラ２４により制御可能に分離されない期間中の過去の複数のエネルギー消費量の平均に基づくようにするのが好ましい。
【００２９】
基準エネルギー消費量は、各負荷に対し独立的に決定するのが好ましい。このようにすることにより、基準エネルギー消費量が、互いに相関関係のない負荷に対しエネルギー使用の変化を反映しうる。例えば、ある種の負荷、例えば、空調装置及び暖房装置の基準エネルギー消費量を、外部の温度及び湿度の双方又は何れか一方に依存させるが、他の負荷はこのようにしないようにしうる。この場合、暖房装置及び空調装置に対する基準エネルギー消費量は、時刻、週、年等に加えて外部の温度及び湿度の関数として記憶させておくことができる。
【００３０】
エネルギー消費モジュール２９が基準エネルギー消費量及び削減するエネルギー消費量を計算する代わりに、このエネルギー消費モジュール２９が、負荷に供給されるエネルギーのエネルギー消費量を全ての期間に対し同様に決定し、これらのエネルギー消費量をプロセッサ２１に伝達するようにしうる。この場合、プロセッサ２１はこれらのエネルギー消費量を、ネットワークインタフェース２５及びネットワーク１３を介してセントラルサーバ１２に伝達する。このようにすることにより、エネルギー消費モジュール２９により決定されるエネルギー消費量は、負荷が制御的に分離されるかどうかにかかわらず、全ての期間に対し同じ方法を用いて決定される。セントラルサーバ１２は、エネルギー消費量を要求する電力状態のメッセージを電力削減システム２０に定期的に伝達する。正常な送電網状態の期間、すなわち電力削減命令が有効となっていない期間中に、セントラルサーバ１２によりエネルギー消費量が要求されると、セントラルサーバ１２は受信したエネルギー消費量を基準エネルギー消費量として記憶する。電力削減命令が有効となっている期間中に、セントラルサーバ１２によりエネルギー消費量が要求されると、セントラルサーバ１２は受信したエネルギー消費量を用い、この受信したエネルギー消費量を、同様な期間（例えば、時刻、曜日、季節等）に対応する前に記憶された基準消費量から減算することにより、削減するエネルギー消費量を決定する。
【００３１】
図３を参照するに、電力削減コントローラ２４のスイッチングモジュール３１は負荷スイッチ４２〜４５を具えている。電気パネル２６は、送電網１６に接続されたライン５０及び５２と、ＡＣ負荷に接続されたライン６２〜６５と、回路遮断器７２〜７５とを有している。スイッチ４２〜４５の出力端にはヒューズ４８があり、これらの出力端は、ＡＣ負荷に接続されたライン６２〜６５の各々に接続されている。コントローラモジュール２７及びエネルギー消費モジュール２９は単一のブロックとして示してあるが、別々に参照している。又、４つのみのスイッチ４２〜４５とこれらに対応するヒューズ４８を示しているが、他の個数を用いうるものである。
【００３２】
スイッチ４２〜４５の各々は、その出力負荷ライン６２〜６５を電力ライン５０及び５２の１つに接続するか、又はその出力負荷ライン６２〜６５を、ライン８２又はライン８４を介して随意のバックアップ電源２２に接続するか、又はその出力負荷ライン６２〜６５を切断位置／端子９２〜９５に接続する（例えば、バックアップ電源２２に又は電力ライン５０及び５２の何れにも接続されない開回路とする）３つの状態のうちの何れの状態にも位置させることができる。
【００３３】
コントローラモジュール２７はスイッチ４２〜４５に結合されており、ＡＣ負荷に接続された出力負荷ライン６２〜６５を選択的に送電網１６と、開回路にする切断端子９２〜９５と、ライン８２及び８４を介するバックアップ電源とに結合したり、これらから分離させたりする。エネルギー消費モジュール２９は、出力電力ライン６２〜６５に結合されており、ＡＣ負荷に与えられる電力を監視する。このエネルギー消費モジュール２９は、コントローラモジュール２７から得られるスイッチ状態情報を用いて、出力電力が送電網又はバックアップ電源２２により供給されているかどうかを決定することができる。このエネルギー消費モジュール２９は、この情報を用いて、測定された出力エネルギーが送電網により与えられる総計のエネルギー量に含まれるか否かを決定しうる。
【００３４】
エネルギー消費モジュール２９は、出力ライン６２〜６５に結合させる代わりに、電力ライン５０及び５２に又はスイッチ４２〜４５の入力ラインに結合させることができる。これらの場合にエネルギー消費モジュールにより決定されるエネルギー測定量は送電網から受けるエネルギーの量となる。スイッチ４２〜４５に対する入力ラインにおけるエネルギー使用量の測定は、負荷の各々のエネルギー使用量の測定を可能にする。これらの場合、送電網により与えられるエネルギーの計算が簡単となる。その理由は、計算がスイッチ４２〜４５の状態により影響を受けない為である。
【００３５】
コントローラモジュール２７は、関連の負荷の優先度や、予め決定した又はプログラミング可能な負荷管理設定や、負荷が電力を取り出している際にどの負荷を分離しうるかに関するプログラミング可能な設定（例えば、ユーザは電力を取り出している際に電子レンジを分離することを望まない）を含む（しかし、これらに限定されるものではない）１つ以上の方法に応じて、ある負荷を選択的にスイッチ４２〜４５に結合させたり、スイッチ４２〜４５から分離させたりするように構成されている。このコントローラモジュール２７は、幾つかの異なる基準に基づいて負荷を分離させるように顧客が構成し直すことができる。このコントローラモジュール２７は、例えば、ある種類の負荷を他の種類の負荷の前に分離させるように構成しうる。例えば、冷蔵庫の回路を分離させる前に、空調装置の回路を分離させることができる。
【００３６】
どの負荷を結合させるか又は分離させるか、或いはその双方を達成させるかを決定する際にコントローラモジュール２７が用い得る基準には、ある負荷が取り出す電力量と他の負荷が取り出す電力量との比較値と、（例えば、要求された電力削減量を満足するのに最小数の負荷を分離させるのに、取り出す電力量が最大の負荷を分離するために）ある負荷が取り出す電力量と要求された電力削減量との比較値と、電力を取り出すある負荷の、他の負荷と比べた重要性又は臨界性のユーザ規定優先度と、最小のオンタイムデューティサイクルを負荷に与えるようにすることとの何れか１つ又は任意の組み合わせが含まれる。コントローラモジュール２７は、ユーザがどの負荷を分離させるかを決定させるためのユーザ入力を、図３に示していないユーザインタフェースを介してユーザが入力することをユーザに要求することができる。どの負荷を送電網１６から分離させるか、送電網１６に結合させるか、或いはその双方を達成するかを決定するのに他の基準を用いることもできる。
【００３７】
コントローラモジュール２７は、時刻、曜日、季節等に応じた優先度に基づいて負荷を分離するように構成しうる。例えば、家庭用コントローラモジュール２７は、人が家庭にいると思われる時間中ある負荷を分離させず、人が家庭にいないと思われる時間中ある負荷を分離させるように構成する。又、コントローラモジュール２７は、ある負荷を平日に分離させるが、土日には分離させないように、又はその逆となるように構成する。又、コントローラモジュール２７は、年間で異なる時間で異なる負荷を分離させるように構成するのも好ましい。
【００３８】
コントローラモジュール２７は、例えば、パーセント、しきい値又は絶対電力削減しきい値（例えば、多くのキロワット時）で要求された電力削減を満足させるために負荷を分離させるように構成する。上述した優先順位化を用いて、要求された電力削減しきい値を満足させるために負荷を分離させる順序を選択する。
【００３９】
コントローラモジュール２７は、負荷を電力入力端から分離させたり電力入力端に再結合させたりして、負荷が減少されたデューティサイクルで動作するように構成しうる。例えば、冷蔵庫の回路をある時間の間分離させ、次にある時間の間再結合させることができる。更に、コントローラモジュール２７は、負荷のオン／オフだけの制御をするのではなく、部分オン又は部分オフとなるように負荷を制御するようにしうる。デューティサイクルを減少させるオン／オフ期間又は部分オン又は部分オフレベルは、種々のファクタ、例えば、時刻、（例えば、空調装置又はその他の温度調節負荷に対する）温度等に基づいて変えることができる。又、コントローラモジュール２７は、制御設定、例えば、サーモスタット設定、照明レベル等を調節することにより負荷を間接的に結合又は分離させるようにすることもできる。
【００４０】
コントローラモジュール２７は、１つ以上の制限基準が満足された場合のみ、例えば、節約量又は報酬のしきい値が提示された場合のみ、例えば、１キロワット時当たりの費用の削減又はある価格レートが提示された場合のみ、ある負荷を分離させるように構成しうる。セントラルサーバ１２から受ける電力状態のメッセージには、電力消費量をしきい値だけ削減させるために提示される一括節約量又は１キロワット時当たりの価格レートを含めるのが好ましい。節約量又は価格レートは、提示に応答して導入される電力削減のパーセント又は絶対量に依存させることができる。例えば、電力ユーティリティは、１ｋＷから５ｋＷまでの電力削減の場合１キロワット時当たり１０％のパーセント削減を課し、５ｋＷ及び１０ｋＷ間の電力削減の場合１５％のパーセント削減を課し、以下同様にすることを提示しうる。コントローラモジュール２７は、どの負荷を制限するか、提示される又は得られるインセンティブ、優先順位化、制限基準にどの位基づいているかにより、幾つぐらいの負荷が電力を取り出すようにするか、どの負荷（例えば、高優先度の負荷、低優先度の負荷等）が電力をとりだすようにするか、時刻、曜日、季節等を決定するように構成されている。この場合も、しきい値レベルを満足させるために負荷を分離させる順序を選択するのに、上述した優先順位化の方法を用いることができる。
【００４１】
図４を参照するに、セントラルサーバ１２は、メモリ１０４に結合されたプロセッサ１０２を有する。このプロセッサ１０２は、１つ以上の特定用途向け集積回路（ＡＳＩＣ）と、デジタル信号プロセッサ（ＤＳＰ）と、デジタル信号処理装置（ＤＳＰＤ）と、プログラマブル論理装置（ＰＬＤ）と、フィールドプログラマブルゲートアレイ（ＦＰＧＡ）と、コントローラと、マイクロコントローラと、マイクロプロセッサと、電子装置と、他の電子ユニットとの何れか１つ又はこれらの任意の組み合わせを有しうる。
【００４２】
プロセッサ１０２は、ネットワークインタフェース１０６から受けたデータの処理及びそのメモリ１０４への記憶の双方又は何れか一方を達成するように構成されている。メモリ１０４はプロセッサ１０２内に又はその外部に設けることができる。このメモリ１０４は、長期記憶メモリ、短期記憶メモリ、揮発性メモリ、不揮発性メモリ又はその他の種類のメモリとすることができ、如何なる特定の種類のメモリ又は如何なる個数の装置にも限定されるものではない。
【００４３】
プロセッサ１０２は、データ及び命令の双方又は何れか一方を、ネットワークインタフェース１０６と、送電網状態モジュール１０８と、電力節約（節電）量計算モジュール１１０と、電力削減モジュール１１２とに伝達するか又はこれらから受けるか、或いはこれらの双方を達成するようにも構成されている。
【００４４】
ネットワークインタフェース１０６は、ネットワーク１３を介してデータを送受信するように構成されている。このネットワークインタフェース１０６は電力状態のメッセージを電力削減システム２０に送信しうる。このネットワークインタフェース１０６は更に、情報を電力ユーティリティ１４に送信するとともに、この電力ユーティリティ１４から受信することができる。例えば、このネットワークインタフェース１０６は、電力削減を開始すべきであるか又は取り消ししうるという指摘を、電力ユーティリティ１４から受信しうる。ネットワークインタフェース１０６は更に、ネットワーク１３を介して電力ユーティリティ１４に電力削減見積もりを送信しうる。
【００４５】
送電網状態モジュール１０８はネットワークインタフェース１０６に結合されており、このネットワークインタフェース１０６を介してネットワーク１３に電力状態のメッセージを送信して電力削減コントローラ２４に向けるように構成されている。何時に電力状態メッセージを送信するかの決定は、送電網状態モジュール１０８により独立的に行うことができ、又はこの送電網状態モジュール１０８は、外部の信号源、例えば、電力ユーティリティ１４からネットワークインタフェース１０６を介して指示を受けることができる。電力状態のメッセージにより、電力削減や、前の電力削減の取り消しや、電力消費量の削減パーセントや、絶対電力削減量を要求しうる。この電力状態のメッセージには、１つ以上のインセンティブに関する情報、例えば、電力の対応する削減量に対して提供される価格レート又は節約量のような補償レベルを含めることができる。要求される量は、送電網における全ての電力削減コントローラ２４に対し同じとするか、又は現在のエネルギー消費レベルや、過去の基準エネルギー消費レベル等のような基準に基づいて決定しうる。
【００４６】
上述した電力コントローラモジュール２７の機能の幾つかは送電網状態モジュール１０８内に、又はセントラルサーバ１２の他のモジュール内に含めることができる。例えば、送電網状態モジュール１０８は、何を分離させるかに関する命令を含む電力状態のメッセージを送信するように構成することができる。これらの命令には、例えば、どの負荷又は少なくともどの種類の負荷（例えば、空調装置、暖房装置、テレビジョン、コンピュータ、ゲーム機、ステレオ再生装置等）を分離させるかに関する命令や、分離させる電力の量（パーセント又は絶対量）に関する命令等を含めることができる。
【００４７】
電力節約補償モジュール１１０は、送電網状態モジュール１０８により送信された電力状態のメッセージを受信したことに応答して、電力削減装置により導入された統合のエネルギー削減を行う場合に得られる統合の補償額を決定するように構成されている。更に、送電網状態モジュール１０８は、電力状態のメッセージを受信した電力削減装置の各々と関連する統合の補償額の個々の部分を決定するように構成されている。電力節約補償モジュール１１０は、電力削減モジュール１１２から、電力削減コントローラ２４に対応する個々の電力削減見積もりを受ける。これらの個々の電力削減見積もりは、電力削減モジュール１１２により加算されて統合の電力削減見積もりを決定する。電力節約補償モジュール１１０は、電力削減モジュールから統合の電力削減見積もりを受ける。前述したように、個々のエネルギー削減見積もりは、個々の電力削減コントローラ２４の個々のエネルギー消費モジュール２９又はセントラルサーバ１２の電力削減モジュール１１２により決定しうる。個々のエネルギー削減見積もりが電力削減コントローラ２４により決定される場合には、電力節約補償モジュール１１０により、例えば、ユーティリティ社の記録を用いてエネルギー削減見積もりを確認し、不正のエネルギー削減要求を回避するようにすることが好ましい。
【００４８】
電力ユーティリティが電力削減に対する支払に同意したことに基づいて、電力節約補償モジュール１１０は、統合の電力削減見積もりに対し得られた統合の補償額を決定する。続いて、電力節約補償モジュール１１０は、電力削減装置の各々と関連する統合の補償額の個々の部分を決定しうる。セントラルサーバ１２は、支払を行うために、ある場合には利益を得るために、個々の部分を決定する前に統合の補償額の一部を控除する。次に、電力節約補償モジュール１１０は、（例えば、支払及び利益の双方又は何れか一方を控除した後に）統合の電力削減見積もりに対する個々の電力削減見積もりの比に基づいて比例的に又は補償構造に応じたある他の方法で、削減統合補償額の個々の部分を決定しうる。
【００４９】
個々の補償額の部分は、個々の電力削減装置により導入された電力削減量により影響されるようにすることもできる。例えば、前述したように、電力削減レベルが高い場合には、高い価格レートを提供しうる。これらの場合、電力節約補償モジュール１１０には、個々の補償額の部分を決定する種々の価格レートを含めることができる。個々の補償額の部分を決定する他の方法もここで述べた方法の範囲に含まれるものである。
【００５０】
電力削減モジュール１１２は、ネットワークインタフェース１０６及び電力節約補償モジュール１１０に結合されている。この電力削減モジュール１１２は、電力状態のメッセージに応答して電力削減が導入された電力削減装置の各々と関連する負荷のエネルギー消費の削減の指標を、ネットワークインタフェース１０６を介して受信するように構成されている。この電力削減モジュール１１２は、個々のエネルギー削減見積もりを加算することにより統合の電力削減を見積もる。個々のエネルギー削減見積もりと統合のエネルギー削減見積もりとは、例えば、これらをメモリ１０４内に記憶させることにより電力節約補償モジュール１１０に与え、この電力節約補償モジュール１１０がその機能を前述したように実行するようにする。
【００５１】
電力削減モジュール１１２が受けるエネルギー削減指標は、個々の電力削減コントローラ２４の個々のエネルギー消費モジュール２９により計算された個々の見積もられたエネルギー削減としうる。電力削減モジュール１１２は、これらの個々のエネルギー削減見積もりを合成することにより、統合のエネルギー削減見積もりを計算する。
【００５２】
エネルギー削減指標をエネルギー消費モジュール２９により計算されたエネルギー削減見積もりとする代わりに、電力削減モジュール１１２が受けるエネルギー削減指標を定期的なエネルギー消費量とすることができる。電力削減モジュール１１２は、電力削減装置からセントラルサーバ１２に定期的に伝達されるエネルギー消費量に基づいてエネルギー削減見積もりを決定する。この電力削減モジュール１１２は、上述した方法、例えば、基準エネルギー消費量を計算する方法に類似する方法を用いてエネルギー削減見積もりを計算することができる。この電力削減モジュール１１２は、各電力削減装置が基準量を計算するための標準状態にある時や、各電力削減装置がエネルギー削減見積もりを計算するための削減状態にある時を記録する。電力削減見積もりを決定する更なる詳細を以下に図５〜８を参照して説明する。
【００５３】
図１〜３に関する図５を参照するに、図２の電力削減システム２０により実行される処理２１０は、この図５に示す過程を有する。処理２１０は、電力削減コントローラ２４の種々のモジュールにより実行される。本例では、エネルギー消費モジュール２９は基準のエネルギー消費量を計算する処理を含んで削減するエネルギー消費量を決定するように構成されている。過程２１２では、スイッチングモジュール３１の入力端が電力源、例えば、送電網３３から電力を受ける。
【００５４】
過程２１４では、過程２１２で電力源から受けた電力を、処理２１０を実行する電力削減コントローラ２４と関連する自宅１８の種々の負荷に接続されたスイッチングモジュール３１の出力端に供給する。送電網３３の現在の状態が正常であるか異常（例えば、電力削減状態）であるかに応じて、スイッチ４２〜４５の幾つか又は全てを、出力端及び対応する負荷を送電網１６に結合させる状態にする。
【００５５】
過程２１５では、エネルギー消費モジュール２９により、出力端／負荷に対する基準のエネルギー消費見積もりを決定する。これらの基準のエネルギー消費見積もりは、ＡＣ負荷に取り付けられた出力ライン６２〜６５の各々に対し決定する。これらの基準のエネルギー消費見積もりは、各負荷に対するロバストな基準の使用データベースを確立するために、定期的に、例えば、１５分毎に、半時間毎に、１時間毎に（又は他の定期的な或いは光定期的な間隔で）行うことができる。これらの基準のエネルギー消費見積もりは、時刻、週、年を参照してメモリに記憶させることができる。これらの基準のエネルギー消費見積もりは、例えば、空調装置、暖房装置、扇風機又は天候により影響を受けるその他の装置を含む負荷に対し、例えば、外部の温度及び湿度のような他のパラメータを参照して行うこともできる。
【００５６】
過程２１６では、ネットワークインタフェース２５が電力状態のメッセージをセントラルサーバ１２からネットワーク１３を介して受信する。この電力状態のメッセージは、電力消費量を削減させることと、前の電力削減要求／命令を取り消すか又は変更することとの双方又は何れか一方の電力消費に関する要求／命令を含んでいる。
【００５７】
電力コントローラ２７は過程２１８において、過程２１６で受けた電力状態のメッセージに含まれる情報に基づいて、電力を受けるために接続されている負荷を変更するか否かを決定する。この過程２１８で行う決定は、過程２１６で受信した電力状態のメッセージに含まれる電力削減要求に依存する。電力状態のメッセージにおける命令には、要求された動作又は随意の動作を含めることができる。電力削減要求が前のメッセージから変更されていない場合には、電力コントローラ２７は、変更が不必要であることを決定する。電力状態のメッセージに新たな電力削減要求が含まれている場合には、電力コントローラは、要求された電力削減の基準が現在満足されていない場合に変更を行う必要があることを決定する。例えば、電力削減要求が、基準の電力消費量のパーセント削減に対するものである場合には、電力コントローラ２７は、決定に際して現在の電力削減量と要求された削減レベルとを比較する。電力削減要求が、空調装置、テレビジョン等のような特定の負荷を分離させる為のものである場合には、電力コントローラ２７は、この要求された負荷が分離されていない場合に変更を要求することを決定する。
【００５８】
過程２１８における決定は、負荷が電力を取り出している場合にどの負荷を分離させることができるかに関する、優先度及び制限基準又は規則や、予め決定した又はプログラミング可能な負荷管理設定や、プログラマブル設定の何れか又はこれらの任意の組み合わせを利用することができる。優先度基準には、重要度の順番とした負荷の階層的なリストを含めることができる。重要度のしきい値レベルよりも低い何らかの負荷が電力を取り出している場合には、電力コントローラは、変更が望まれていることを決定する。過程２１８で考慮される制限基準に、ある負荷を分離しうる時刻、週又は年に関する規則や、ある負荷を分離する最小償還レベルに関する規則や、現在の電力消費レベルに関する規則等を含めることができる。
【００５９】
過程２１８において、負荷の結合及び分離を達成させる必要がないことが決定された場合には、処理２１０は過程２１６に戻る。電力状態の新たなメッセージを受けずに予め決定した時間が経過すると、処理２１０は過程２１６から過程２１８に進む。この場合、処理２１０は、過程２１８において１つ以上の負荷の電力接続状態を変えることが決定されるように、状態が変化されたかどうかを決定する。
【００６０】
過程２１８において、電力削減を達成させる必要があることが決定された場合には、処理２１０が過程２２０に進み、この過程で電力コントローラ２７がスイッチ４２〜４５の１つ以上を制御して、送電網１６から受けた入力電力を選択的にスイッチングモジュール３１の出力端に結合したりこれらの出力端から分離させたり、或いはこれらの双方を達成させたりする。どの負荷を結合させるか又は分離させるかの決定には、ある負荷が取り出す電力量を他の負荷が取り出す電力量と比較したり、ある負荷が取り出す電力量を要求された電力削減量と比較したりするような基準や、電力を取り出すある負荷の、他の負荷と比べた重要性又は臨界性の優先度のようなユーザ規定の制限基準や、最小のオンタイムデューティサイクルを負荷に与えるようにすることを含めることができる。コントローラモジュール２７は、どの負荷を分離させるかをユーザが決定しうるようにするユーザ入力をユーザからユーザインタフェース(図３には図示せず)を介して得ることを要求することができる。どの負荷を送電網１６から分離させるか、又は送電網１６に結合させるか、或いはこれらの双方を達成させるかを決定するのに他の基準を用いることもできる。
【００６１】
過程２２２では、エネルギー消費モジュール２９が、削減するエネルギー消費量を決定する。削減するエネルギー消費量は、
（１）１つ以上の出力端を入力電力源から分離させるように１つ以上のスイッチを制御する期間中に入力電力源により与えられるエネルギーと、
（２）これと同じ期間の間の基準のエネルギー消費見積もりと
に基づいて決定される。
【００６２】
エネルギー消費モジュール２９は、過程２１５において、電力コントローラモジュール２７により何れの出力端も入力電力から分離されていない期間中に入力電力源により得られるエネルギーに基づいて基準のエネルギー消費見積もりを決定する。基準の電力見積もりは、出力ライン６２〜６５に接続されたＡＣ負荷の各々に対し計算しうる。これらの基準の電力見積もりは、メモリ２３に記憶させる。これらの基準のエネルギー消費見積もりは、基準のエネルギー消費データベースを形成するために定期的に決定して記憶させる。基準のエネルギー消費量は、時間の一部又は時刻、曜日、週又は季節等を含む期間で分類させる。１年全体に亘る基準のエネルギー消費量の長期間の履歴を記憶することにより、基準のエネルギー量は、エネルギー使用が気候、季節的活動、顧客の個人的な行動特性等に如何に影響されるかを反映するようになる。メモリに記憶された過去の基準のエネルギー消費量は、同様な期間に対応する新たに決定した基準の量と組み合わせる（例えば、算術平均、時間平均、重みづけ平均等を行う）ことができる。このようにすることにより、基準のエネルギー消費量を統計的な平均に近づけることができる。
【００６３】
過程２２４では、ネットワークインタフェース２５が、削減するエネルギー消費量を、ネットワーク１３を介して遠隔装置に送信する。遠隔装置は、電力統合システム１０のオペレータにより決定されるものであり、ある実施例では遠隔装置は電力状態のメッセージを発生されるセントラルサーバ１２である。処理２１０はその後過程２１６に戻る。続いて過程２１６〜２２４が上述したように実行される。
【００６４】
図５の処理２１０に対する変形例では、過程２１８を省略しうる。この変形例では、過程２１８で受信した電力状態のメッセージが、どの負荷を結合させるか又は分離させるかに関する特定の命令を含む。例えば、顧客は、セントラルサーバ１２により電力削減コントローラ２４を制御しうるようにする契約をセントラルサーバ１２のオペレータと結ぶことができる。過程２２０では、電力コントローラ２７がセントラルサーバから受ける命令を用い、送電網１６から受けた入力電力をスイッチングモジュール３１の出力端に結合させたりこれらの出力端から分離させたり、又はその双方を行ったりするためのスイッチ４２〜４５の制御を行う。
【００６５】
図１〜４に関する図６を参照するに、図４のセントラルサーバ１２により実行される処理３１０が図６に示す過程を有する。処理３１０は、図５の処理２１０を実行する電力削減コントローラ２４を制御するためにセントラルサーバ１２により用いられる。処理２１０では、電力削減コントローラ２４が過程２２２において削減するエネルギー消費量を決定し、過程２２４でこれらをセントラルサーバ１２に伝達する。
【００６６】
処理３１０は過程３１２で開始し、この過程３１２で、電力状態のメッセージを送電網１６に接続された何れかの電力削減システム２０に送信する必要があるように、送電網１６の状態が変化したかどうかを、送電網状態モジュール１０８が決定する。この送電網状態モジュール１０８は、電力ユーティリティ１４からネットワークインタフェース１０６及びネットワーク１３を介して送電網の状態の指示を受けることができる。この送電網状態モジュール１０８は送電網の装置に結合させ、送電網の状態を独自に決定しうるようにすることもできる。
【００６７】
過程３１２で肯定的な決定となりうる送電網の状態の変化には、容量付近の電力需要レベル又は送電網１６の容量に関連するしきい値レベル付近の電力需要レベルが含まれる。過程３１２で用いられる容量レベルは変化しうる。例えば、送電網１６の容量レベルは、電力を他の送電網に又は送電網１６の他の区分に流用する必要性のために一時的に低下する可能性がある。
【００６８】
過程３１２で肯定的な決定となりうる他の変化には予想需要の増大、例えば、仕事の予定の為に常に日常的に生じる予想需要の浮き沈みが含まれる。過程３１２で識別される変化によれば、前の電力削減要求を高めたり、低くしたり、取り消したりしうる。送電網状態モジュールによれば、送電網の電圧及び周波数特性を監視し、これらの測定値を用いて送電網の状態が変化しているかどうかを決定するようにすることもできる。
【００６９】
過程３１２で、送電網の状態が変化し、電力削減を認める（又は前の電力削減状態を取り消すか何らかの方法で変更する）ことが決定された場合には、処理３１０は過程３１３に進み、この過程３１３において、送電網状態モジュール１０８が、送電網状態の変化により電力削減が所望であるか又は認められるかどうかを決定する。この過程３１３における決定には、予期される将来の電力増大に対し追加の電力容量を得るための費用（例えば、限界費用又は総費用）を決定することを含めることができる。送電網容量が現在の容量限界に近づくと、追加の電力発生システムをネットワークにつなぐことができる。これらの追加の電力発生システムは、石炭、天然ガス等のような通常の電力施設に比べて動作させるのが極めて高価となるおそれのある発電機としうる。
【００７０】
高価となるおそれもあるが電力供給を高める他の方法は、他の電力ユーティリティから電力を購入し、この購入した電力を送電網に転送することである。購入価格は供給及び需要ファクタにより極めて高くなるおそれがある。例えば、他の送電網もより多くの電力を要求していることにより需要が増大すると、価格が増大する。予期される電力の増大を提供する価格が極めて高く、電力を削減するための予期される節約量が、電力を削減する顧客に提供される価格上のインセンティブを超える場合には、過程３１３において肯定的な決定が生じ、処理３１０が過程３１４に進む。利益が望まれているある実施例では、電力の節約量を、インセンティブの価格を超えるとともに、過程３１３において肯定的な決定が生じるようにするために望まれている利益を超える程度に充分に高くする必要がある。過程３１２で否定的な決定がなされた場合には、処理３１０は、送電網の状態が変化するまで過程３１２を繰り返す。
【００７１】
過程３１３で肯定的な決定が成された場合には、処理３１０が過程３１４に進み、この過程３１４において、送電網状態モジュール１０８がネットワークインタフェース１０６を介して、電力状態のメッセージを、電力削減システム２０と関連する電流削減コントローラ２４のような複数の電力削減装置に送信する。過程３１４で送信される電力状態のメッセージには、電力削減システム２０の動作を制御する種々の命令を含めることができる。電力状態のメッセージには、例えば、電力削減を要求する命令、前の電力削減を取り消す命令、電力消費量のパーセント削減を要求する命令又は絶対電力削減量を要求する命令を含めることができる。更に、過程３１４で送信される電力状態のメッセージには消費レベルに関する情報、例えば、あるレベルの電力削減のために提供される価格レート又は節約量を含めることができる。電力状態のメッセージには、何を分離させるかに関する命令を含めることができる。これらの命令には、例えば、どの負荷又は少なくともどの種類の負荷（例えば、空調装置、暖房装置、テレビジョン、コンピュータ、ゲーム機、ステレオ再生装置等）を分離させるかに関する命令を含めることができる。電力状態メッセージによれば前の電力状態メッセージに言及して、この前の電力状態メッセージの命令に種々の方法で影響を及ぼすようにしうる。電力状態メッセージに含める命令は任意のものにでき、これは、電力削減が望ましいかどうかを決定するのに電力コントローラ２７が如何に構成されているかに基づいてこの電力コントローラ２７に委ねることができる。これらの命令は強制的なものにすることもでき、電力削減システムは、命令に追随するか否かを選択する機能を有さないようにする。過程３１４で送信されるある電力状態メッセージには、（現在及び過去の双方又は何れか一方の）エネルギー使用見積もり又はエネルギー削減見積もり（例えば、電力を削減するという命令に応答してエネルギーの使用が基準レベルよりも低い値に削減される量）を含めることができる。
【００７２】
過程３１６では、ネットワークインタフェース１０６が、過程３１４で電力状態のメッセージが送信された複数の電力削減装置の各々と関連する負荷のエネルギー消費の削減量を表す指標を受ける。この過程３１６で受信するエネルギー削減量の指標は、図５に示す処理２１０を参照して前述したような電力削減システム２０により決定されたエネルギー削減見積もりである。これらのエネルギー削減指標は、送電網１６が電力削減状態にある期間中に、電力削減システム２０から定期的に受信しうる。これらのエネルギー削減指標は、エネルギー削減見積もりを要求する過程３１４での電力状態のメッセージを送信するセントラルサーバに応答して受信することもできる。セントラルサーバ１２は、送電網の状態が変化した際に、又は他の電力状態のメッセージが過程３１２で必要となると決定された際に、或いはこれらの双方の際にエネルギー削減見積もりを要求する。
【００７３】
過程３１６で受信された指標は電力削減モジュール１１２に転送される。過程３１８では、電力削減モジュール１１２が、過程３１６で受信された個々のエネルギー削減量の指標を加算することにより統合のエネルギー削減量を見積もる。統合のエネルギー削減量の見積もり及び個々のエネルギー削減量の指標は、電力削減要求の受信に応答して電力削減システム２０により生ぜしめられたエネルギー削減により得られた統合の補償額及び個々の補償額を計算するに当り、電力節約計算モジュール１１０により用いるためにメモリ１０４に記憶される。
【００７４】
過程３２０では、電力節約モジュール１１０が、過程３１４で送信された電力状態のメッセージを電力削減装置が受信するのに応答して統合のエネルギー削減量を生ぜしめる統合の補償額を決定する。（送電網１６を運営している電力ユーティリティ１４がセントラルサーバ１２を具えていない場合に）セントラルサーバ１２のオペレータと電力ユーティリティ１４との間の契約を実行し、所定の補償レートを規定するようにするのが好ましい。これらの補償レートは、電力削減量の関数として変えることができる。例えば、電力削減量が高くなるにつれ、提供される補償レートが高くなるようにしうる。或いはまた、電力削減量が高くなるにつれ、提供される補償レートが低くなるようにしうる。電力節約モジュール１１０は、統合のエネルギー削減量に適切な補償レートを乗じることにより、統合の補償額を決定する。
【００７５】
過程３２２では、電力節約補償モジュールが、個々の電力削減装置により得られる統合の補償額の個々の部分を決定する。電力節約補償モジュール１１０は、過程３１４で電力状態のメッセージが送信された電力削減装置の各々と関連する統合の補償額の個々の部分を決定する。この電力節約補償モジュール１１０は、費用を負担し、ある場合には利益を得るために、個々の部分を決定する前に統合の補償額の一部を減算する。続いて、この電力節約補償モジュール１１０は、（費用及び利益の双方又は何れか一方を減算した後に）統合のエネルギー削減見積もりに対する個々のエネルギー削減見積もりの比に基づいて削減された統合の補償額の個々の部分を比例的に決定する。
【００７６】
処理３１０は、過程３２０及び３２２で統合の及び個々の補償額を決定した後、過程３１２に戻り、送電網の状態が変化した際に次の電力状態のメッセージを送信する時を決定する。
【００７７】
図１〜３に関する図７を参照するに、図２の電力削減システム２０により実行される処理２６０にはこの図７に示す過程が含まれている。この処理２６０は、エネルギー削減見積もりが、エネルギー消費モジュール２９を用いる電力削減装置２４により決定されず、その代りに、基準とする削減されたエネルギー消費量が送信される遠隔装置（例えば、セントラルサーバ１２）により計算されるという点で、図５の処理２１０と相違している。
【００７８】
過程２１２及び２１４は処理２１０における同じ過程と変わらない。
【００７９】
過程２６８では、エネルギー補償モジュール２９が１つの又は複数の基準エネルギー消費量を決定する。実施例に応じて、複数の基準エネルギー消費量は各ＡＣ負荷に対し決定することができ、又は単一の基準エネルギー消費量は、組み合わせた全てのＡＣ負荷に対し決定しうる。過程２７０では、ネットワークインタフェース２５が基準のエネルギー消費量を、ネットワーク１３に接続された遠隔装置、例えば、セントラルサーバ１２に向けて送信する。過程２６８及び２７０は、送電網１６が基準状態にある期間中定期的に繰り返しうる。
【００８０】
過程２１６は、処理２１０における同じ過程と変わらない。過程２１８では、電力コントローラ２７が、どの負荷が電力をどの程度受けるように接続するかを変更するか否かを決定する。この過程２１８は、処理２１０における同じ過程と変わらず、前述した同じ方法を電力コントローラ２７により実行しうる。
【００８１】
過程２１８で、負荷の結合及び分離を達成する必要がないことが決定されると、処理２６０は過程２１６に戻り、次の電力状態のメッセージが受信されるのを待つ。過程２１６で新たな電力状態のメッセージが受信されることなく予め決定した期間が経過すると、処理２６０は過程２１６から過程２１８に進み、電力変更が要求又は所望されたかどうかを再び決定する。
【００８２】
過程２１８で、出力端に対する電力の結合／分離を達成する必要があることが決定されると、処理２６０は過程２２０に進み、電力コントローラ２７がスイッチ４２〜４５の１つ以上を制御して送電網１６から受けた入力電力をスイッチングモジュール３１の出力端に結合するか又はこれらの出力端から分離させるか、或いはこれらの結合及び分離の双方を達成させるようにする。過程２２０は、処理２１０における同じ過程と変わらず、前述したのと同じ方法を電力コントローラ２７により実行しうる。
【００８３】
過程２７２では、エネルギー消費モジュール２９が、入力電力源により負荷に与えられるエネルギーに基づいて削減するエネルギー消費量を決定する。この過程２７２では、過程２６８で基準のエネルギー消費量を計算するのに用いたのと同じ方法を用いて、削減するエネルギー消費量を計算する。過程２７４では、ネットワークインタフェース２５が、削減するエネルギー消費量をネットワーク１３に接続された遠隔装置、例えば、セントラルサーバ１２に送信する。
【００８４】
処理２６０は、過程２７４で削減するエネルギー消費量を送信するのに続いて、過程２７６に進む。この過程２７６では、電力コントローラ２７により、送電網の状態が基準の状態（例えば、前の電力削減措置が取り消されたことを表す電力状態のメッセージが過程２１６で受信された状態）に戻ったか否かを決定する。送電網の状態が基準の状態に戻った場合には、処理２６０が過程２６８に戻り、基準のエネルギー消費量を計算する。過程２７６で、送電網が基準状態にないことが決定されると、処理２６０が過程２１６に戻り、他の電力状態のメッセージを受信する。電力削減システム２０が処理２６０を用いると、セントラルサーバ１２が、過程２７０で送信された基準のエネルギー消費量と、過程２７４で送信された削減するエネルギー消費量とに基づいてエネルギー削減量を計算する。この計算は、同様な期間（例えば、同様な時刻、週、月又は年、或いはこれらの任意の組み合わせ）に対応する過去の基準量を用いて、図６につき前述したように達成する。この場合、過去の基準量は同じ電力削減システム２０によりセントラルサーバに予め送信されている。
【００８５】
図１〜４に関する図８を参照するに、図４のセントラルサーバ１２により実行される処理４１０にはこの図８に示す過程が含まれている。この処理４１０では、セントラルサーバ１２が、図７につき前述したように電力削減装置からエネルギー消費量を表す定期的な指標を受信する。このことは、セントラルサーバが個々の電力削減システム２０により決定されたエネルギー削減見積もりを表す指標を受信する処理３１０と相違する。
【００８６】
過程４１２では、ネットワーク１０６が、電力削減コントローラ２４のような複数の電力削減装置と関連する基準のエネルギー消費量を表す指標を受信する。過程４１２で受信されたエネルギー消費量は、何れの負荷も送電網から分離されるように制御されない場合の電力使用量を反映している。基準のエネルギー消費量の見積もりは定期的に受信されメモリ１０４に記憶され、基準のエネルギー消費データベースを形成するようにする。基準のエネルギー消費量は、時間の一部又は時刻、曜日、週又は季節等を含む期間で分類させる。１年全体に亘る基準のエネルギー消費量の長期間の履歴を記憶することにより、基準のエネルギー使用量は、エネルギー消費量が気候、季節的活動、個人的な行動特性等に如何に影響されるかを反映しうるようになる。
【００８７】
メモリに記憶された過去の基準エネルギー消費量を、同様な期間に対応する新たに受信した基準エネルギー消費量と（例えば、算術平均、重みづけ平均、時間平均等を行うことにより）組み合わせることができる。このようにすることにより、基準のエネルギー削減量を統計的な平均に近づけることができる。
【００８８】
過程４１４では、送電網状態モジュール１０８が、送電網１６の状態が基準の状態から変化したか否かを決定する。この過程４１４では、処理３１０の過程３１２を参照して前述したのと同じ方法を用いることができる。送電網の状態が変化しない場合には、処理４１０が過程４１２に戻る。過程４１４で、送電網の状態が変化したこと、例えば、電力消費量が容量に近づいたことや、停電によりシステム容量が減少したこと等が決定された場合には、処理４１０が過程４１５に進む。この過程４１５では、送電網状態モジュールが、変化した送電網の状態が電力削減要求の形態の作用を認めるか否かを決定する。この過程４１５では、過程３１３を参照して前述したのと同じ方法を用いることができる。この過程４１５で、否定的な決定が成されると、処理４１０が過程４１２に戻る。この過程４１５で、肯定的な決定が成されると、処理４１０が過程４１６に進む。
【００８９】
過程４１６では、送電網状態モジュール１０８が、電力状態メッセージを、ネットワークインタフェース１０６を介して少なくとも２つの電力削減装置に送信する。この電力状態メッセージには、削減する電力量（パーセント及び絶対量の双方又は何れか一方）に関する情報、分離させる装置の種類に関する情報、エネルギー削減量に基づいて得ることのできる価格レート及び割引率の双方又は何れか一方に関する情報、又は電力状態のメッセージに関して前述した何れかの情報が含まれる。
【００９０】
過程４１８では、ネットワークインタフェース１０６が、電力状態のメッセージが過程４１６で送信された複数の電力削減装置の各々と関連して削減するエネルギー消費量を表す指標を受信する。過程４１８で受信される削減するエネルギー消費量の指標は、基準のエネルギー消費指標と同様に電力削減システム２０により決定されるが、この削減するエネルギー消費量の指標は削減される電力使用量を反映する。その理由は、電力削減システム２０は電力状態のメッセージに応答して負荷を分離するように構成されている為である。この削減するエネルギー消費量の指標は電力削減システム２０から定期的に受信されるか、又はセントラルサーバが電力削減見積もりを要求するメッセージを送信するのに応答して受信される。
【００９１】
過程４２０では、電力削減モジュール１１２が、
（１）過程４１８で受信された削減するエネルギー消費量の指標と、
（２）過程４１２で受信されメモリ１０４に記憶された過去の基準の削減するエネルギー消費量と
に基づいて、電力削減装置と関連する個々のエネルギー削減量を見積もる。次に、この電力削減モジュール１１２が、過程４１８で受信された個々のエネルギー削減量の指標を加算することにより統合のエネルギー削減見積もりを決定する。この統合のエネルギー削減見積もりと個々のエネルギー削減量の指標とは、電力節約計算モジュール１１０がエネルギー削減により得られる統合の及び個々の補償額を計算するのに用いるためにメモリ１０４に記憶される。
【００９２】
過程４２２及び４２４では、電力節約補償モジュール１１０が、電力状態のメッセージに応答してエネルギー削減を行うために得られる統合及び個々の補償額を決定する。この電力節約補償モジュール１１０は、処理３１０の過程３２０及び３２２を参照して前述したのと同様な方法を過程４２２及び４２４で用いる。
【００９３】
過程４２６では、送電網状態モジュール１０８が、新たな電力状態のメッセージが認められるように送電網１６の状態が変化したか否かを決定する。送電網の状態が変化しないことが決定されると、処理４１０が過程４１８に戻り、追加の削減するエネルギー消費量を受信し、上述したように過程４２０〜４６０に進む。
【００９４】
過程４２６で、送電網の状態が変化したことが決定されると、処理４１０は過程４２８に進む。この過程４２８で、新たな送電網の状態が基準状態であると決定されると、処理４１０は過程４３０に進む。この過程４３０では、送電網状態モジュール１０８が、過程４１６で基準でない電力状態のメッセージが送信された全ての電力削減装置に基準の送電網状態のメッセージを送信する。次に、処理４１０が過程４１２に戻り、基準のエネルギー消費量の指標の受信を再開する。
【００９５】
過程４２８で、新たな電力状態が基準の状態でないと決定されると、処理４１０が過程４１６に戻り、この過程４１６で、新たな電力削減命令を含む新たな電力状態のメッセージが電力削減システム２０に送信される。新たな電力状態のメッセージの命令は、送電網の状態が如何に変化したかに依存する。この送電網の状態がそれほど厳しくない場合には、ある電力削減装置に電力削減措置を取り消す命令を行うことができるか、又は電力の削減を少なくするように要求しうる。過程４１６で送信される新たな電力状態のメッセージには、前述したような他の種類の命令を含めることができる。処理４１０は、前述した残りの過程に進む。
【００９６】
処理２１０、２６０、３１０及び４１０の過程は互いに組み合わせたり、再配置したり、ある場合には削除したりすることができる。これらの処理は例示的なものであり、他の処理も本明細書の範囲及び特許請求の範囲内のものである。
【００９７】
更に、１つよりも多い発明をここに開示しうるものである。
【図１】
0005635005.tif 000002
【図２】
0005635005.tif 000003
【図３】
0005635005.tif 000004
【図４】
0005635005.tif 000005
【図５】
0005635005.tif 000006
【図６】
0005635005.tif 000007
【図７】
0005635005.tif 000008
【図８】
0005635005.tif 000009